(57)【要約】【課題】  本発明は、ユーザに対して紛らわしい追従表示を抑制する番組記録装置及び番組記録方法を提供する。【解決手段】  電子番組情報を取得すると、予約録画部・追従処理部４２は当該番組情報の時間情報を予約情報メモリの「Ａｃｔｕａｌ時間」エリアに格納し、「Ａｃｔｕａｌ時間」エリアと「Ｍａｓｔｅｒ時間」エリアの時間情報を比較して「追跡表示」エリアの格納情報（「あり」／「なし」）を書換え制御する。録画処理が終了すると、「予約実績１」エリアに格納された時間情報を「予約実績２」エリアに格納した後に、「予約実績１」エリアに実際に録画した時間情報を格納する。そして、これら２つの予約実績エリアに新たに格納された時間情報が同じであるかを比較し、更に「Ｍａｓｔｅｒ時間」エリアと同じであるかを比較し、「Ｍａｓｔｅｒ時間」エリアの格納情報を書換え制御する。【選択図】  図６
2007274554.tif 000002
【特許請求の範囲】
【請求項１】
所定の期間毎に定期的に録画されるよう予約された番組情報の放送開始時間と終了時間とからなる第１の時間情報と、取得した電子番組情報における当該番組情報の放送開始時間と終了時間とからなる第２の時間情報とを格納する時間情報記憶手段と、
この時間情報記憶手段に記憶された前記第２の時間情報に基づいて当該番組を記録録画する記録手段と、
前記時間情報記憶手段に記憶された前記第１の時間情報と前記第２の時間情報とを第１の比較する第１の比較手段と、
この第１の比較手段による比較結果に基づいて番組毎に前記第１の時間情報とは異なる時刻で当該番組を録画するか否かを示す通知情報を格納する通知情報記憶手段と、
ユーザに対して前記時間情報記憶手段に記憶された番組に関する予約内容と前記通知情報記憶手段に格納された対応する通知情報とを通知する通知手段と、
前記第１の比較手段による比較の結果、前記第１の時間情報と前記第２の時間情報が同じであると判定されると、前記通知情報記憶手段に異なる時刻で当該番組を録画する旨の通知情報が格納されている場合に、前記通知情報記憶手段の通知情報を前記第１の時間情報と異なる時刻で当該番組を録画しない旨の通知情報に変更する第１の変更手段と、
を有することを特徴とする番組記録装置。
【請求項２】
前記時間情報記憶手段は、更に前記記録手段によって実際に録画された放送開始時間と終了時間とからなる第３の時間情報を格納しており、
前記記録手段による記録録画が終了すると前記時間情報記憶手段に記憶された前記第３の時間情報と前記第１の時間情報とを比較する第２の比較手段と、
前記第２の比較手段による比較の結果、第３の時間情報と第１の時間情報とが異なると判定されると、前記時間情報記憶手段における前記第１の時間情報を第３の時間情報と同じ時間情報に変更する第２の変更手段と、
を有することを特徴とする請求項１記載の番組記録装置。
【請求項３】
前記時間情報記憶手段における前記第３の時間情報は、実際に録画された２回分の放送開始時間と終了時間とからなる時間情報とからなり、
前記第２の比較手段は、前記記録手段による記録録画が終了した後でかつ上記２回分の時間情報が同じ開始時間と終了時間である場合に、前記時間情報記憶手段に記憶された前記第３の時間情報と前記第１の時間情報とを比較することを特徴とする請求項２記載の番組録画装置。
【請求項４】
所定の期間毎に定期的に録画されるよう予約された番組情報の放送開始時間と終了時間とからなる第１の時間情報と、取得した電子番組情報における当該番組情報の放送開始時間と終了時間とからなる第２の時間情報とを格納する時間情報記憶手段と、
この時間情報記憶手段に記憶された前記第２の時間情報に基づいて当該番組を記録録画する記録手段と、
を有する番組録画装置における番組録画方法において、
前記時間情報記憶手段に記憶された前記第１の時間情報と前記第２の時間情報とを比較するステップと、
この比較結果に基づいて番組毎に前記第１の時間情報とは異なる時刻で当該番組を録画するか否かを示す通知情報を格納するステップと、
ユーザに対して前記時間情報記憶手段に記憶された番組に関する予約内容と対応する前記通知情報とを通知する通知ステップと、
前記比較の結果、前記第１の時間情報と前記第２の時間情報が同じであると判定されると、前記格納ステップで格納された通知情報が異なる時刻で当該番組を録画する旨の内容である場合に、前記通知情報を前記第１の時間情報と異なる時刻で当該番組を録画しない旨の通知情報に変更するステップと、
を有することを特徴とする番組記録方法。
【請求項５】
前記時間情報記憶手段は、更に前記記録手段によって実際に録画された放送開始時間と終了時間とからなる第３の時間情報を格納しており、
前記記録手段による記録録画が終了すると前記時間情報記憶手段に記憶された前記第３の時間情報と前記第１の時間情報とを比較するステップと、
この比較の結果、第３の時間情報と第１の時間情報とが異なると判定されると、前記時間情報記憶手段における前記第１の時間情報を第３の時間情報と同じ時間情報に変更するステップと、
を有することを特徴とする請求項４記載の番組記録方法。
【請求項６】
前記時間情報記憶手段における前記第３の時間情報は、実際に録画された２回分の放送開始時間と終了時間とからなる時間情報とからなり、
前記比較ステップは、前記記録手段による記録録画が終了した後でかつ上記２回分の時間情報が同じ開始時間と終了時間である場合に、前記時間情報記憶手段に記憶された前記第３の時間情報と前記第１の時間情報とを比較することを特徴とする請求項５記載の番組録画方法。
【発明の詳細な説明】
【技術分野】
【０００１】
本発明は、受信した電子番組情報の放送時刻に基づいて、ユーザから入力された予約録画情報の放送時間を更新し、放送時間の変更に追従して、予約録画処理を確実に行う番組記録装置及び番組記録方法に関し、特にユーザに対して紛らわしい追従表示を抑制する技術に関する。
【背景技術】
【０００２】
近年、ハードディスクレコーダ等の放送番組録画装置においては、録画予約した放送番組の放送スケジュールが変更されたとしても、この変更に伴ってユーザが操作することなく、放送局またはサーバから供給される電子番組情報（Ｅｌｅｃｔｒｏｎｉｃ  Ｐｒｏｇｒａｍ  Ｇｕｉｄｅ）を活用して、自動的に録画予約時間を変更する技術が考えられている（例えば、特許文献１参照）。
【特許文献１】特開２００３−４６９２１公報
【発明の開示】
【発明が解決しようとする課題】
【０００３】
しかしながら、従来の装置では、このような録画予約時間の変更がなされた場合に、放送時間の変更に追従していることをユーザに通知する手段を有していないため、ユーザは追従しているのか否か分からないという問題が生じる可能性がある。また、仮に追従していることを何らかのマークを用いてユーザに通知する手段を有していたとしても、一旦追従マークが通知されると、以降の放送にて時間の変更がない場合であってもずっと追従マークが付与されてしまい、あたかも追従しているかのような印象をユーザに与える恐れがあった。
本発明は、以上の点に鑑みなされたもので、ユーザに対して紛らわしい追従表示を抑制する番組記録装置及び番組記録方法を提供することを目的とする。
【課題を解決するための手段】
【０００４】
上記目的を達成するために、本発明の番組記録装置は、所定の期間毎に定期的に録画されるよう予約された番組情報の放送開始時間と終了時間とからなる第１の時間情報と、取得した電子番組情報における当該番組情報の放送開始時間と終了時間とからなる第２の時間情報とを格納する時間情報記憶手段と、この時間情報記憶手段に記憶された前記第２の時間情報に基づいて当該番組を記録録画する記録手段と、前記時間情報記憶手段に記憶された前記第１の時間情報と前記第２の時間情報とを第１の比較する第１の比較手段と、この第１の比較手段による比較結果に基づいて番組毎に前記第１の時間情報とは異なる時刻で当該番組を録画するか否かを示す通知情報を格納する通知情報記憶手段と、ユーザに対して前記時間情報記憶手段に記憶された番組に関する予約内容と前記通知情報記憶手段に格納された対応する通知情報とを通知する通知手段と、前記第１の比較手段による比較の結果、前記第１の時間情報と前記第２の時間情報が同じであると判定されると、前記通知情報記憶手段に異なる時刻で当該番組を録画する旨の通知情報が格納されている場合に、前記通知情報記憶手段の通知情報を前記第１の時間情報と異なる時刻で当該番組を録画しない旨の通知情報に変更する第１の変更手段と、を有することを特徴とする。
【０００５】
上記目的を達成するために、本発明の番組記録方法は、所定の期間毎に定期的に録画されるよう予約された番組情報の放送開始時間と終了時間とからなる第１の時間情報と、取得した電子番組情報における当該番組情報の放送開始時間と終了時間とからなる第２の時間情報とを格納する時間情報記憶手段と、この時間情報記憶手段に記憶された前記第２の時間情報に基づいて当該番組を記録録画する記録手段と、を有する番組録画装置における番組録画方法において、前記時間情報記憶手段に記憶された前記第１の時間情報と前記第２の時間情報とを比較するステップと、この比較結果に基づいて番組毎に前記第１の時間情報とは異なる時刻で当該番組を録画するか否かを示す通知情報を格納するステップと、ユーザに対して前記時間情報記憶手段に記憶された番組に関する予約内容と対応する前記通知情報とを通知する通知ステップと、前記比較の結果、前記第１の時間情報と前記第２の時間情報が同じであると判定されると、前記格納ステップで格納された通知情報が異なる時刻で当該番組を録画する旨の内容である場合に、前記通知情報を前記第１の時間情報と異なる時刻で当該番組を録画しない旨の通知情報に変更するステップと、を有することを特徴とする。
【発明の効果】
【０００６】
本発明によれば、ユーザに対して紛らわしい追従表示を抑制することができる。
【発明を実施するための最良の形態】
【０００７】
以下、この発明の実施の形態について、図面を参照して詳細に説明する。図１は、本実施の形態に係る番組記録装置１０の主要構成の一例を示すブロック図である。
【０００８】
番組記録装置１０は、録画側を構成するエンコーダ部２１と、再生側を構成するＭＰＥＧデコーダ部２３と、装置本体１０の動作を制御する制御部３０とを主たる構成要素としている。番組記録装置１０は、入力側のセレクタ１６と出力側のセレクタ１７とを有している。制御部３０は、装置１０全体の動作を司るべくデータバスを介して各部に接続されている。
【０００９】
入力側セレクタ１６は、ＬＡＮ等の通信部１１と、衛星アンテナに接続された衛星放送（ＢＳ／ＣＳ）チューナ部１２と、地上波アンテナが接続された地上波チューナ部１３とが接続されている。
【００１０】
ＬＡＮ等の通信部１１は、外部機器と接続し、例えばモデムＭ等を介しインターネット等の通信路を経由して番組情報提供サーバＳ等と通信を行ったり、コンテンツ情報等をダウンロードしたりする。
【００１１】
通信部１１は、ＩＥＥＥ１３９４インタフェースであってもよく、ネットワーク上の外部機器からデジタルコンテンツを受けることが可能である。又、図示しない入力端部から、輝度信号や色差信号、コンポジット等の映像信号、音声信号を受けることも可能である。
【００１２】
ＢＳ／ＣＳチューナ部１２、地上波チューナ部１３は、アンテナを介して放送信号を選局し復調して映像信号及び音声信号を入力するもので、広範な種類の放送信号に対応する。例えば、地上波アナログ放送、地上波デジタル放送、ＢＳアナログ放送、ＢＳデジタル放送、ＣＳデジタル放送等に及ぶものであり、これに限るものではない。又、必ずしも一つだけを設けるものではなく、例えば、地上波アナログ放送のチューナ部や、ＢＳ／ＣＳチューナ部を２つ又は３つ以上を有し、予約録画の要求に応じて平行して機能させる場合も含んでいる。
【００１３】
ＢＳ／ＣＳチューナ１２等は、必ずしも内蔵されている必要はなく、データ入力端子を介して外付けされて、受信したデジタル信号をセレクタ部１６を介してエンコーダ部２１や制御部３０に供給することも好適である。
【００１４】
入力側のセレクタ部１６は、制御部３０等により制御され、エンコーダ部２１に選択的に信号を出力する。エンコード部２１は、セレクタ部１６から入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。エンコーダ部２１の出力は、所定のＭＰＥＧ等の圧縮フォーマットに変換され、データ編集部２０に供給される。
【００１５】
データ編集部２０は、エンコーダ部２１の出力を受け、データ編集等の所望のデータ処理を行う。データ編集部２０は、ハードディスクドライブ部１８と光ディスクドライブ部１９とからなる２種類のディスクドライブ部、制御部３０およびバッファ部２２を介してＭＰＥＧデコーダ部２３にも接続されている。
【００１６】
ハードディスクドライブ部１８は、第１のメディアとしてのハードディスクを駆動するものである。光ディスクドライブ部１９は、ビデオファイルを構築できる情報記録媒体である第１のメディアとしての光ディスクＤを回転駆動し、情報の読み書きを実行するものである。
【００１７】
データ編集部２０は、エンコーダ部２１でエンコードされた情報（ビデオ、オーディオ、副映像データなどのパック）及び作成された管理情報をハードディスクドライブ部１８又は光ディスクドライブ部１９に供給し、ハードディスクドライブ部１８、又は、光ディスクＤに記録することができる。又、ハードディスクドライブ部１８、又は、光ディスクＤに記録された情報を、制御部３０、光ディスクドライブ部１９を介して光ディスクＤ、又は、ハードディスクドライブ部１８に記録することもできる。
【００１８】
また、データ編集部２０は、ハードディスクドライブ部１８又は光ディスクＤに記録されている複数番組のビデオ・オブジェクトを、一部削除したり、異なる番組のオブジェクトをつなげたり、といった編集処理を行うこともできる。データ編集部２０は、ハードディスクドライブ部１８、光ディスクドライブ部１９からの信号を、バッファ部２２を介してＭＰＥＧデコーダ部２３に供給する。
【００１９】
ＭＰＥＧデコーダ部２３は、デコードされた主映像にデコードされた副映像を適宜合成し、主映像にメニュー、ハイライトボタン、字幕やその他の副映像を重ねて出力するビデオプロセッサを備えている。
【００２０】
ＭＰＥＧデコーダ部２３は、バッファ部２２を介して、データ編集部２０からの出力信号のみならず、各チューナ部１２，１３からのデジタル信号をエンコーダ部２１をスルーして入力することができる。ＭＰＥＧデコーダ部２３の出力信号は、音声映像処理部２４を介してセレクタ部１７へ出力される。セレクタ部１７は、制御部３０からのセレクト信号により制御され、後段へと信号を供給する。
【００２１】
ＭＰＥＧデコーダ部２３の出力オーディオ信号は、セレクタ部１７を介して図示しないデジタルアナログ変換器でアナログ変換されてスピーカに供給されるか、外部装置との通信を行うインタフェース（Ｉ／Ｆ）部２７を介して外部装置に供給される。ＭＰＥＧデコーダ部２３の出力ビデオ信号は、セレクタ部１７を介して外部の受像機４１に供給されるか、Ｉ／Ｆ部２７を介して外部装置に供給される。セレクタ部１７は、各チューナ部１２，１３からのデジタル信号を直接モニタする時、エンコーダ部２１をスルーした信号を直接選択することも可能である。
【００２２】
更に、番組記録装置１０は、ユーザの操作やリモコンＲの操作を受ける操作部３２を有している。ここで、リモコンＲは、番組記録装置１０の本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。
【００２３】
番組情報提供サーバＳは、電子番組情報を、例えばインターネットを中継し、モデムＭを介して番組通信装置１０に供給してもよいし、番組情報を放送局Ｔに提供し、放送局Ｔの放送信号（地上波デジタル、地上波アナログ、衛星放送デジタル、衛星放送アナログ等）に重畳させて放送記録装置１０に提供することも可能である。
【００２４】
番組記録装置１０は、更に多重化部２８、分離部２９、予約録画部・追跡処理部４２、予約リストや番組表画像を生成する番組表生成部４３を有している。予約録画部・追跡処理部４２は、通信部１１等から取得した電子番組情報に基づいて、ユーザのリモコンＲ等の操作により特定した番組に応じて、録画予約処理が可能である。
【００２５】
すなわち、予約録画部・追跡処理部４２は、図示せぬ予約情報メモリを有しており、ユーザによって特定された番組を予約登録情報として保持する。そして、制御部３０及び予約録画部４２の制御により、この予約登録情報に基づいて、予約時刻になると、ＢＳ／ＣＳチューナ部１２又は地上波チューナ部１３が受信した番組情報が復調された映像音声信号が、エンコーダ２１等のエンコード処理を経て、例えば、ハードディスクドライブ１８に記録（予約録画）される。
【００２６】
更に、予約録画部・追跡処理部４２は、予約録画処理について、電子番組情報を用いた番組の追跡処理・延長処理等を実行することができ、番組の延長や放送時間のシフト等に自動的に対応することができる。
【００２７】
図２は、番組録画装置１０が表示する予約登録一覧画面の一例を示す図である。図２に示す予約登録一覧画面は、ユーザによって操作部３２あるいはリモコンＲを介して予約登録一覧の表示が指示された場合に、予約録画部・追従処理部４２の予約情報メモリに記憶された少なくとも１つ以上からなる予約登録情報を一覧表示したものである。この予約登録一覧画面には、チャンネル情報、日付情報、番組の開始と終了からなる時間情報および録画モードが予約登録情報毎に表示される。
【００２８】
予約録画部・追跡処理部４２は、通信部１１等から取得した電子番組情報に基づいて、後述する方法により番組の延長や放送時間のシフト等があると判断すると、番組の追跡処理・延長処理等を実行する。このような追跡処理している場合には、図２（ａ）に示す予約登録一覧画面の「追跡情報」欄５０に「追跡」なる表示を行うようになっている。予約録画部・追跡処理部４２にて、番組の延長や放送時間のシフト等がないと判断すると、追跡処理は実行されず、図２（ｂ）に示すように、「追跡情報」欄５０には何も表示されない。
【００２９】
たとえば、毎週決まった曜日・時間帯に放送する番組において、最終回の放送時間のみを拡大する場合がある。本実施の形態では、ユーザによって例えば毎週月曜日の夜９時から夜１０時までの間に放送される計１２回放送からなる番組を毎週録画するモードで予約登録されていたとする。
【００３０】
このような場合、初回から１１回目（最終回の一回前）までの番組放送時間は全て夜９時から夜１０時までと同じ時間帯である。従って、予約録画部・追跡処理部４２による追跡処理は実行されない。そのため、予約登録一覧画面にてユーザが予約状況を確認する際には、図２（ａ）に示すように、当該番組の表示箇所における「追跡情報」欄５０には何も表示されないこととなる。
【００３１】
近年、上述するような毎週放送する番組において、初回の放送時間も拡大する傾向にある。すなわち、初回放送が拡大された放送時間を有し、２回目から最終回の一回前の放送までを通常の放送時間で放送し、最終回を再度拡大した放送時間で放送することとなる。
【００３２】
このような変則的な放送時間を有する週間番組を週間録画する場合、従来の装置では、初回に追跡処理を実行するため、図２（ｂ）に示すように、当該番組の表示箇所における「追跡情報」欄５０には「追跡」を示す表示がなされる。そして、それ以降、２回目の放送から最終回まで、予約録画部・追跡処理部４２による追跡処理が実行されても実行されなくても、毎週、予約登録一覧画面において、当該番組の表示箇所における「追跡情報」欄５０には「追跡」を示す表示がなされる。
【００３３】
これに対して、本実施の形態では、以下に説明するように、このような変則的な放送時間の拡大においても、追跡処理を実行すると共に、ユーザに対して紛らわしい追従表示を抑制することが可能となる。
【００３４】
図３乃至図６は、予約録画部・追従処理部４２における各種記憶手段としての予約情報メモリにおける更新内容を説明する図である。予約情報メモリは、「予約実績１」、「予約実績２」、「Ｍａｓｔｅｒ時間」、「Ａｃｔｕａｌ時間」、「追跡表示」の各エリアにそれぞれ情報を格納するようになっている。この他、チャンネル情報や録画モードに関する情報なども格納しているが、本実施の形態では、時間情報に関する部分のみ説明することとする。
【００３５】
「予約実績１」エリア、「予約実績２」エリアは、ともに実際に予約録画した放送開始時刻と終了時刻からなる時間情報（第３の時間情報）を格納するエリアである。予約録画部・追従処理部４２は、予約録画が終了すると、実際に録画した開始時刻と終了時刻からなる時間情報を「予約実績１」エリアに格納する。
【００３６】
この際に、「予約実績１」エリアに既に時間情報が格納されている場合には、「予約実績１」エリアに格納された時間情報を「予約実績２」に格納した後に、「予約実績１」エリアに実際に録画した開始時刻と終了時刻からなる時間情報を格納する。本実施の形態では、直近の２つの録画時間情報を保持することとなる。
【００３７】
「Ｍａｓｔｅｒ時間」エリアは、例えば所定の期間毎に定期的（週毎）に録画予約されている放送開始時刻と終了時刻からなる時間情報（第１の時間情報）を格納する。「Ａｃｔｕａｌ時間」エリアは、取得した電子番組情報における当該番組情報の放送開始時刻と終了時刻からなる時間情報（第２の時間情報）を格納する。「追跡表示」エリアは、予約録画部・追従処理部４２による追跡処理が実施されたかを示している。
【００３８】
具体的には、電子番組情報を取得し、予約登録されている番組情報の時間情報を「Ａｃｔｕａｌ時間」エリアに格納する。この際、「Ｍａｓｔｅｒ時間」エリアと「Ａｃｔｕａｌ時間」エリアとで格納している時間情報が異なる場合に、予約録画部・追従処理部４２による追跡処理が実行されることとなる。従って、予約録画部・追従処理部４２は「追跡表示」エリアの格納情報を「あり」と（変更）する。
【００３９】
また、同じ録画時間が２回連続して続いた場合に、「Ｍａｓｔｅｒ時間」エリアに登録されている予約登録されている番組情報の時間情報を変更する。本実施の形態では、「予約実績１」エリアおよび「予約実績２」エリアが同じ時間情報を保持し、かつ「Ｍａｓｔｅｒ時間」エリアの時間情報と異なる場合には、予約録画部・追従処理部４２は「Ｍａｓｔｅｒ時間」エリアの時間情報を変更する。即ち、予約録画部・追従処理部４２は、「Ｍａｓｔｅｒ時間」エリアの時間情報を、「予約実績１」エリアおよび「予約実績２」エリアにて保持している時間情報に変更する。
【００４０】
また、電子番組情報を取得し、予約登録されている番組情報の時間情報を「Ａｃｔｕａｌ時間」エリアに格納する。この際、「Ｍａｓｔｅｒ時間」エリアと「Ａｃｔｕａｌ時間」エリアとで格納している時間情報が同じ場合に、予約録画部・追従処理部４２による追跡処理は実行されない。従って、予約録画部・追従処理部４２は「追跡表示」エリアの格納情報を「なし」と（変更）する。
【００４１】
図３は、毎週録画するモード（週間予約）で予約登録された番組情報の時間情報について、初回放送が放送される前と、放送され録画された後の予約情報メモリを示す図である。
【００４２】
図３（ａ）は、毎週録画するモード（週間予約）で予約登録され、まだ録画が一度も実行されていない場合の予約情報メモリの状態を示す。本実施の形態では、週間予約された番組情報は、初回の放送時間が拡大されており、２１時から２２時３０分という時間情報が「Ｍａｓｔｅｒ時間」エリアに格納されている。
【００４３】
また、予約録画を実行する前に取得した電子番組情報における当該番組情報の時間情報（「Ａｃｔｕａｌ時間」エリアの時間情報）も２１時から２２時３０分である。従って、予約録画部・追従処理部４２は、「Ｍａｓｔｅｒ時間」エリアと「Ａｃｔｕａｌ時間」エリアとに格納されている時間情報が同じであるため、「追跡表示」エリアは「なし」情報を格納している。この段階で、ユーザによって操作部３２あるいはリモコンＲを介して予約登録一覧の表示が指示された場合に、番組録画装置１０は、図２（ｂ）に示すように、「追跡」マークが表示されない予約登録一覧画面を表示する。
【００４４】
ここで、初回放送（２１時から２２時３０分の放送）が終了し、その時間帯の録画処理が終了すると、予約録画部・追従処理部４２は、図３（ｂ）に示すように、「予約実績１」エリアに、実際に録画した時間情報（２１時から２２時３０分）を格納する。この段階で、ユーザによって操作部３２あるいはリモコンＲを介して予約登録一覧の表示が指示された場合にも、番組録画装置１０は、図２（ｂ）に示す予約登録一覧画面を表示する。
【００４５】
次に、図４は、週間予約で予約登録された番組情報の時間情報について、第２回放送が放送される前と、放送され録画された後の予約情報メモリを示す図である。第２回放送が放送される前に、番組録画装置１０が電子番組情報を取得すると、図４（ａ）に示すように、予約録画部・追従処理部４２は当該番組情報の時間情報（２１時から２２時）を「Ａｃｔｕａｌ時間」エリアに格納する。
【００４６】
予約録画部・追従処理部４２は、「Ａｃｔｕａｌ時間」エリアに時間情報を格納した際に、「Ａｃｔｕａｌ時間」エリア（２１時から２２時）と「Ｍａｓｔｅｒ時間」エリア（２１時から２２時３０分）の時間情報を比較する。この比較の結果、異なると判断すると、追跡処理を実行するため、「追跡表示」エリアの格納情報を「なし」から「あり」へと変更する。この段階で、ユーザによって操作部３２あるいはリモコンＲを介して予約登録一覧の表示が指示された場合に、番組録画装置１０は、図２（ａ）に示すように、「追跡」マークが付与された予約登録一覧画面を表示する。
【００４７】
第２回放送（２１時から２２時の放送）が終了し、その時間帯の録画処理が終了すると、予約録画部・追従処理部４２は、図４（ｂ）に示すように、「予約実績１」エリアに格納された時間情報（２１時から２２時３０分）を「予約実績２」エリアに格納した後に、「予約実績１」エリアに実際に録画した時間情報（２１時から２２時）を格納する。この段階で、ユーザによって操作部３２あるいはリモコンＲを介して予約登録一覧の表示が指示された場合にも、番組録画装置１０は、図２（ａ）に示す予約登録一覧画面を表示する。
【００４８】
次に、図５は、週間予約で予約登録された番組情報の時間情報について、第３回放送が放送される前と、放送され録画された後の予約情報メモリを示す図である。第３回放送が放送される前に、番組録画装置１０が電子番組情報を取得すると、図５（ａ）に示すように、予約録画部・追従処理部４２は当該番組情報の時間情報（２１時から２２時）を「Ａｃｔｕａｌ時間」エリアに格納する。
【００４９】
予約録画部・追従処理部４２は、「Ａｃｔｕａｌ時間」エリアに時間情報を格納した際に、「Ａｃｔｕａｌ時間」エリア（２１時から２２時）と「Ｍａｓｔｅｒ時間」エリア（２１時から２２時３０分）の時間情報を比較する。この比較の結果、異なると判断すると、「追跡表示」エリアの格納情報を「あり」とする。現在は、既に「追跡表示」エリアは「あり」情報を格納しているので、そのまま「あり」情報を格納することとなる。
【００５０】
この段階で、ユーザによって操作部３２あるいはリモコンＲを介して予約登録一覧の表示が指示された場合に、番組録画装置１０は、図２（ａ）に示すように、「追跡」マークが付与された予約登録一覧画面を表示する。
【００５１】
第３回放送（２１時から２２時の放送）が終了し、その時間帯の録画処理が終了すると、予約録画部・追従処理部４２は、図５（ｂ）に示すように、「予約実績１」エリアに格納された時間情報（２１時から２２時）を「予約実績２」エリアに格納した後に、「予約実績１」エリアに実際に録画した時間情報（２１時から２２時）を格納する。
【００５２】
ここで、予約録画部・追従処理部４２は、「予約実績１」エリアおよび「予約実績２」エリアを書き換えた際に、これら２つのエリアに新たに格納された時間情報が同じであるかを比較する。同じ時間情報（２１時から２２時）であると判定した場合には、更に「Ｍａｓｔｅｒ時間」エリア（２１時から２２時３０分）と同じであるかを比較する。
【００５３】
この比較の結果、異なると判定した場合に、予約録画部・追従処理部４２は、図５（ｃ）に示すように、「Ｍａｓｔｅｒ時間」エリアの時間情報を、「予約実績１」エリアおよび「予約実績２」エリアに格納されている時間情報（２１時から２２時）に書き換える。この段階で、ユーザによって操作部３２あるいはリモコンＲを介して予約登録一覧の表示が指示された場合にも、番組録画装置１０は、図２（ａ）に示す予約登録一覧画面を表示する。
【００５４】
次に、図６は、週間予約で予約登録された番組情報の時間情報について、第４回放送が放送される前と、放送され録画された後の予約情報メモリを示す図である。第４回放送が放送される前に、番組録画装置１０が電子番組情報を取得すると、図６（ａ）に示すように、予約録画部・追従処理部４２は当該番組情報の時間情報（２１時から２２時）を「Ａｃｔｕａｌ時間」エリアに格納する。
【００５５】
予約録画部・追従処理部４２は、「Ａｃｔｕａｌ時間」エリアに時間情報を格納した際に、「Ａｃｔｕａｌ時間」エリア（２１時から２２時）と「Ｍａｓｔｅｒ時間」エリア（２１時から２２時）の時間情報を比較する。この比較の結果、同じであると判定すると、「追跡表示」エリアの格納情報を「あり」から「なし」に変更する。この段階で、ユーザによって操作部３２あるいはリモコンＲを介して予約登録一覧の表示が指示された場合に、番組録画装置１０は、図２（ｂ）に示すように、「追跡」マークが表示されない予約登録一覧画面を表示する。
【００５６】
第４回放送（２１時から２２時の放送）が終了し、その時間帯の録画処理が終了すると、予約録画部・追従処理部４２は、図６（ｂ）に示すように、「予約実績１」エリアに格納された時間情報（２１時から２２時）を「予約実績２」エリアに格納した後に、「予約実績１」エリアに実際に録画した時間情報（２１時から２２時）を格納する。
【００５７】
ここで、予約録画部・追従処理部４２は、「予約実績１」エリアおよび「予約実績２」エリアを書き換えた際に、これら２つのエリアに新たに格納された時間情報が同じであるかを比較する。同じ時間情報（２１時から２２時）であると判定した場合には、更に「Ｍａｓｔｅｒ時間」エリア（２１時から２２時）と同じであるかを比較する。この比較の結果、同じ時間情報であると判定すると、特段の処理なく、一連の処理を終了する。
【００５８】
次に、図７は、週間予約で予約登録された番組情報の時間情報について、最終回放送が放送される前と、放送され録画された後の予約情報メモリを示す図である。最終回は、放送時間が１時間拡大されて、２１時から２３時の放送となっている。最終回放送が放送される前に、番組録画装置１０が電子番組情報を取得すると、図７に示すように、予約録画部・追従処理部４２は当該番組情報の時間情報（２１時から２３時）を「Ａｃｔｕａｌ時間」エリアに格納する。
【００５９】
予約録画部・追従処理部４２は、「Ａｃｔｕａｌ時間」エリアに時間情報を格納した際に、「Ａｃｔｕａｌ時間」エリア（２１時から２３時）と「Ｍａｓｔｅｒ時間」エリア（２１時から２２時）の時間情報を比較する。この比較の結果、異なる時間情報であると判定すると、追跡処理を実行するため、「追跡表示」エリアの格納情報を「なし」から「あり」に変更する。この段階で、ユーザによって操作部３２あるいはリモコンＲを介して予約登録一覧の表示が指示された場合に、番組録画装置１０は、図２（ａ）に示すように、「追跡」マークが表示された予約登録一覧画面を表示する。
【００６０】
最終回放送（２１時から２３時の放送）が終了し、その時間帯の録画処理が終了すると、予約録画部・追従処理部４２は、「予約実績１」エリアに格納された時間情報（２１時から２２時）を「予約実績２」エリアに格納した後に、「予約実績１」エリアに実際に録画した時間情報（２１時から２３時）を格納する。
【００６１】
従って、本実施の形態では、追跡処理を実行する際には予約登録一覧画面において該当番組情報に「追跡」マークを表示し、追跡処理を実行しない場合には予約登録一覧画面において該当番組情報に「追跡」マークを表示しないよう制御している。これにより、変則的な放送時間の拡大においても、追跡処理を実行すると共に、ユーザに対して紛らわしい追従表示を抑制することが可能となる。
【００６２】
次に、図８及び図９は、番組録画装置１０における番組録画方法に関する処理を示すフローチャート図である。番組録画装置は、予め決められた周期（例えば、毎日所定の時間）に電子番組表を取得する（ステップＳＴ１１）。
【００６３】
ＳＴ１１で電子番組情報を取得すると、予約録画部・追従処理部４２は予約されている番組情報の時間情報を予約情報メモリの「Ａｃｔｕａｌ時間」エリアを更新する（ステップＳＴ１２）。そして、予約録画部・追従処理部４２は、「Ａｃｔｕａｌ時間」エリアと「Ｍａｓｔｅｒ時間」エリアに格納されている時間情報を比較する（ステップＳＴ１３）。
【００６４】
ＳＴ１３の比較の結果、同一の時間情報であると判定されると（ステップＳＴ１４のＹｅｓ）、予約録画部・追従処理部４２は、予約情報メモリの「追跡表示」エリアの格納情報を確認する。即ち、「追跡表示」エリアが「あり」情報を格納しているか、「なし」情報を格納しているかを判定する（ステップＳＴ１５）。
【００６５】
「追跡表示」エリアが「あり」情報を格納していると判定されると（ＳＴ１５のＹｅｓ）、「追跡表示」エリアの情報を「あり」から「なし」へと変更する（ステップＳＴ１６）。「追跡表示」エリアが「なし」情報を格納していると判定されると（ＳＴ１５のＮｏ）、ステップＳＴ１９の処理へと進む。
【００６６】
ＳＴ１３による比較の結果、同一の時間情報ではないと判定されると（ＳＴ１４のＮｏ）、予約録画部・追従処理部４２は、予約情報メモリの「追跡表示」エリアの格納情報を確認する。即ち、「追跡表示」エリアが「あり」情報を格納しているか、「なし」情報を格納しているかを判定する（ステップＳＴ１７）。
【００６７】
「追跡表示」エリアが「なし」情報を格納していると判定されると（ＳＴ１７のＹｅｓ）、「追跡表示」エリアの情報を「なし」から「あり」へと変更する（ステップＳＴ１６）。「追跡表示」エリアが「あり」情報を格納していると判定されると（ＳＴ１７のＮｏ）、ステップＳＴ１９の処理へと進む。
【００６８】
予約録画部・追従処理部４２は、予約登録された時間を迎えると、予約録画を実行する（ＳＴ１９）。そして、録画が終了すると（ステップＳＴ２０のＹｅｓ）、予約情報メモリの「予約実績（１、２）」エリアを更新する（ステップＳＴ２１）。
【００６９】
ここで、予約録画部・追従処理部４２は、「予約実績１」エリアおよび「予約実績２」エリアを書き換えた際に、これら２つのエリアに新たに格納された時間情報が同じであるかを比較する（ステップＳＴ２２）。ＳＴ２２の比較の結果、異なる時間情報であると判定されると（ステップＳＴ２３のＮｏ）、ＳＴ１１の処理へと進む。
【００７０】
ＳＴ２２の比較の結果、同一の時間情報であると判定されると（ステップＳＴ２３のＹｅｓ）、予約録画部・追従処理部４２は、「予約実績１」エリアおよび「予約実績２」エリアの時間情報と、「Ｍａｓｔｅｒ時間」エリアの時間情報とを比較する（ステップＳＴ２４）。ＳＴ２４の比較の結果、同一の時間情報であると判定されると（ステップＳＴ２５のＹｅｓ）、ＳＴ１１の処理へと進む。
【００７１】
ＳＴ２４の比較の結果、異なる時間情報であると判定されると（ＳＴ２５のＮｏ）、予約録画部・追従処理部４２は、予約時間メモリの「Ｍａｓｔｅｒ時間」エリアの時間情報を、「予約実績１」エリアおよび「予約実績２」エリアに格納されている時間情報に書換え変更し（ステップＳＴ２６）、ＳＴ１１の処理へと進む。
【００７２】
以上記載した様々な実施形態により、当業者は本実施形態を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００７３】
【図１】本実施の形態に係る番組記録装置１０の主要構成の一例を示すブロック図。
【図２】番組録画装置１０が表示する予約登録一覧画面の一例を示す図。
【図３】予約録画部・追従処理部４２における予約情報メモリにおける更新内容を説明する図。
【図４】予約録画部・追従処理部４２における予約情報メモリにおける更新内容を説明する図。
【図５】予約録画部・追従処理部４２における予約情報メモリにおける更新内容を説明する図。
【図６】予約録画部・追従処理部４２における予約情報メモリにおける更新内容を説明する図。
【図７】番組録画装置１０が表示する予約登録一覧画面の一例を示す図。
【図８】番組録画装置１０における番組録画方法に関する処理を示すフローチャート図。
【図９】番組録画装置１０における番組録画方法に関する処理を示すフローチャート図。
【符号の説明】
【００７４】
１０    番組録画装置
１８    ハードディスクドライブ部
１９    光ディスクドライブ部１９
２０    データ編集部
３０    制御部
４２    予約録画部・追跡処理部
５０    予約登録一覧画面の「追跡情報」欄
【図１】
2007274554.tif 000003
【図２】
2007274554.tif 000004
【図３】
2007274554.tif 000005
【図４】
2007274554.tif 000006
【図５】
2007274554.tif 000007
【図６】
2007274554.tif 000008
【図７】
2007274554.tif 000009
【図８】
2007274554.tif 000010
【図９】
2007274554.tif 000011